(57)【要約】      （修正有）【課題】床面形状を利用者の背面の湾曲した形状に合わせて側面視凹凸状に形成される床面高さ調整ベッドにおいて、安価な構成によって床面の形状を容易に変更可能に構成されるとともに、床部材を取付けた状態で床面形状を利用者の身体形状に応じて容易に調整できる床面高さ調整ベッドを提供する。【解決手段】ベッドフレーム１の左右両側に対向して配置されるサイドプレート３，３と、該サイドプレート３，３間に架設され上記体長方向に複数並べて配置することによって床部を形成する左右方向の床部材２とを備え、利用者の仰臥就寝時の背面形状に対応して床面が側面視凹凸状に形成すべく上記各床部材２の高さを設定できる様にベッドを構成する。また、上記サイドプレート３と床部材２との間に床部材２を取付状態で上下スライドさせ、所定のスライド位置で床部材２をサイドプレート３，３側に高さ調節可能に取付固定する調整機構４を設ける。【選択図】図１
0003172888.tif 000002
【実用新案登録請求の範囲】
【請求項１】
ベッドフレーム（１）の左右両側に利用者（５）の体長方向に沿って対向して配置されるサイドプレート（３，３）と、該サイドプレート（３，３）間に架設され上記体長方向に複数並べて配置することによって床部を形成する左右方向の床部材（２）とを備え、利用者（５）の仰臥就寝時の背面の湾曲に対応して床面が側面視凹凸状に形成されるように上記各床部材（２）の高さを設定するベッドであって、上記サイドプレート（３）と床部材（２）との間に床部材（２）を取付状態で上下スライドさせ、所定のスライド位置で床部材（２）をサイドプレート（３，３）側に高さ調節可能に取付固定する調整機構（４）を設けてなる床面高さ調整ベッド。
【請求項２】
調整機構（４）を床部材（２）ごとに個別に設けた請求項１に記載の床面高さ調整ベッド。
【請求項３】
利用者（５）の身体形状又は集中負荷を受ける部位に応じて、並列された床部材（２）の配置間隔に疎密を形成してなる請求項１又は２の何れかに記載の床面高さ調整ベッド。
【請求項４】
床部材（２）の長手方向の断面が上下方向に向く板状材である請求項１乃至３の何れかに記載の床面高さ調整ベッド。
【請求項５】
調整機構（４）が、互いに係脱し合う一対の部材の組合せからなり、一方を床部材（２）の両端に、他方を各サイドプレート（３，３）に取付けてなる請求項１乃至４の何れかに記載の床面高さ調整ベッド。
【請求項６】
調整機構（４）は、各サイドプレート（３，３）の内側面にそれぞれ固定された支持部材（１２）と、支持部材（１２）に上下スライド移動可能に支持された一対のスライド体（１１）とを備え、スライド体（１１）を支持部材（１２）側に上下自在に複数段で固定できる係止機構（１４）を設けた請求項１乃至５の何れかに記載の床面高さ調整ベッド。
【請求項７】
調整機構（４）は、サイドプレート（３，３）側に複数設けた上下方向のスライド溝（３６）と、当該スライド溝（３６）に挿通されるとともに上下スライド移動可能に支持された支持具（３７）とを備え、該支持具（３７）をスライド溝（３６）側に上下無段階で固定できる固定具（３８）を設けた請求項１乃至５の何れかに記載の床面高さ調整ベッド。
【請求項８】
床部材（２）がサイドプレート（３）に対して着脱可能になるように調整機構（４）を構成した請求項１乃至７の何れかに記載の床面高さ調整ベッド。
【請求項９】
床部材（２）の上面側を覆うクッション材（１５）を各床部材（２）に取付けた請求項１乃至８の何れかに記載の床面高さ調整ベッド。
【請求項１０】
利用者（５）の腰部分に位置する床部材（２）にクッション材（１５）を取付けた請求項９に記載の床面高さ調整ベッド。
【請求項１１】
利用者（５）の頭部を支える床部材（２）にも調整機構（４）を設けた請求項１乃至１０の何れかに記載の床面高さ調整ベッド。
【請求項１２】
床部材（２）の上に弾力性を備えたマットレス（１０）を設けた請求項１乃至１１の何れかに記載の床面高さ調整ベッド。
【考案の詳細な説明】
【技術分野】
【０００１】
利用者の身体背面の凹凸カーブの形状に沿って床面が側面視凹凸状に形成される床面高さ調整ベッドに関する。
【背景技術】
【０００２】
従来、人の就寝時の腰や臀部に掛かる負荷を軽減し、快適な睡眠を得るために、桟状の床部材の調節をして背中の凹凸に沿った床面に調節するベッドは特許文献１により公知となっている。
【０００３】
また、床部材を昇降させる昇降シリンダをそれぞれ設け、各昇降シリンダを制御部によって制御することにより、床面の形状を変形させることができる特許文献２に記載の床面高さ調整ベッドが従来公知となっている。
【先行技術文献】
【特許文献】
【０００４】
【特許文献１】特開２００７−２０３０１２号公報
【特許文献２】特開平８−２８９９０５号公報
【考案の概要】
【考案が解決しようとする課題】
【０００５】
上記文献の床面高さ調整ベッドは、床面の形状を利用者の背面の湾曲に沿って形成することにより、腰や臀部等に負荷が集中することを防止して腰等への負担を軽減することができる。しかし特許文献１の技術は、床面を形成する棒状の床部材が、ベッドを組立てる際にサイドプレート側に差込み固定して設置されるため、床面形状の変更を行うにはサイドプレートを外して一旦枠組を解体する必要がある。また、各床部材に昇降シリンダを設ける構成とすると、構成が複雑となりコストが高くなるという課題があった。
【０００６】
本考案は、床面形状を利用者の背面の湾曲した形状に合わせて側面視凹凸状に形成される床面高さ調整ベッドにおいて、安価な構成によって床面の形状を容易に変更可能に構成されるとともに、床部材を取付けた状態で床面形状を利用者の身体形状に応じて容易に調整できる床面高さ調整ベッドを提供することを課題としている。
【課題を解決するための手段】
【０００７】
上記課題を解決するために本考案は、第１に、ベッドフレーム１の左右両側に利用者５の体長方向に沿って対向して配置されるサイドプレート３，３と、該サイドプレート３，３間に架設され上記体長方向に複数並べて配置することによって床部を形成する左右方向の床部材２とを備え、利用者５の仰臥就寝時の背面の湾曲に対応して床面が側面視凹凸状に形成されるように上記各床部材２の高さを設定するベッドであって、上記サイドプレート３と床部材２との間に床部材２を取付状態で上下スライドさせ、所定のスライド位置で床部材２をサイドプレート３，３側に高さ調節可能に取付固定する調整機構４を設けたことを特徴としている。
【０００８】
第２に、調整機構４を床部材２ごとに個別に設けたことを特徴としている。
【０００９】
第３に、利用者５の身体形状又は集中負荷を受ける部位に応じて、並列された床部材２の配置間隔に疎密を形成してなることを特徴としている。
【００１０】
第４に、床部材２の長手方向の断面が上下方向に向く板状材であることを特徴としている。
【００１１】
第５に、調整機構４が、互いに係脱し合う一対の部材の組合せからなり、一方を床部材２の両端に、他方を各サイドプレート３，３に取付けてなることを特徴としている。
【００１２】
第６に、調整機構４は、各サイドプレート３，３の内側面にそれぞれ固定された支持部材１２と、支持部材１２に上下スライド移動可能に支持された一対のスライド体１１とを備え、スライド体１１を支持部材１２側に上下自在に固定できる複数段の係止機構１４を設けたことを特徴としている。
【００１３】
第７に、調整機構４は、サイドプレート３，３側に複数設けた上下方向のスライド溝３６と、当該スライド溝３６に挿通されるとともに上下スライド移動可能に支持された支持具３７とを備え、該支持具３７をスライド溝３６側に上下無段階で固定できる固定具３８を設けたことを特徴としている。
【００１４】
第８に、床部材２がサイドプレート３に対して着脱可能になるように調整機構４を構成したことを特徴としている。
【００１５】
第９に、床部材２の上面側を覆うクッション材１５を各床部材２に取付けたことを特徴としている。
【００１６】
第１０に、利用者５の腰部分に位置する床部材２にクッション材１５を取付けたことを特徴としている。
【００１７】
第１１に、利用者５の頭部を支える床部材２にも調整機構４を設けたことを特徴としている。
【００１８】
第１２に、床部材２の上に弾力性を備えたマットレス１０を設けたことを特徴としている。
【考案の効果】
【００１９】
複数配置された床部材を、調整機構によって取付け状態で高さ調整可能に支持し、床部材の高さ調整によって床面を変形可能に支持することにより、ベッドを組立てた状態であっても床面形状を簡単に変更することができるため、床面形状を微調整したい場合や、利用者が体格の異なる者に変わった場合であっても容易に床面形状を適した形に変形させることができる。
【００２０】
また、調整機構４を床部材２ごとに個別に設けたことにより、床部材２の高さを微調整することができるため、床面９の形状をより利用者の身体形状に適した形状に変更することができる。
【００２１】
また、利用者の身体背面の凹凸形状又は部分的に集中負荷を受ける部分に応じて、並列された床部材２の配置間隔に疎密を形成したことにより、身体形状を細かく変化させる範囲を密に配置して滑らかな床面形状にしたり、湾曲した身体形状のうちで負荷が大きくなり易い部分を密に配置して負荷を分散させることができる。
【００２２】
なお、床部材２の長手方向の断面が上下方向に向く板状材としたことにより、床部材２が仰臥姿勢の利用者から受ける荷重によって撓んで変形することを防止できる。
【００２３】
さらに、調整機構４が、互いに係脱し合う一対の組合せ部材からなり、一方を床部材２の両端に、他方を各サイドプレート３，３に取付けたことにより、床部材２の両端側がサイドプレート３，３側に支持されるため、簡単な機構で正確な高さ調節が容易に行える。
【００２４】
また、調整機構４は、各サイドプレート３，３の内側面にそれぞれ固定された支持部材１２と、支持部材１２に上下スライド移動可能に支持された一対のスライド体１１とを備え、スライド体１１を支持部材１２側に上下自在に固定できる複数段の係止機構１４を設けたことにより、床部材２の高さ調整を容易に行うことができるとともに、調整機構４を低コストで設けることができる。
【００２５】
また、調整機構４は、サイドプレート３，３側に複数設けた上下方向のスライド溝３６と、該スライド溝３６に挿通されるとともに上下スライド移動可能に支持された支持具３７とを備え、該支持具３７をスライド溝３６側に上下無段階で固定できる固定具３８を設けたことにより、床部材２の高さ位置が無段階で調整できるため、より細かく床面９形状を調整することができる。
【００２６】
また、床部材２がサイドプレート３に対して着脱可能になるように調整機構４を構成したことにより、利用者５の身体条件に応じて床部材２を部分的に取外して使用できる。
【００２７】
なお、利用者５の腰部分に位置する床部材２にクッション材１５を取付けたことにより、利用者への負荷が掛かり易い腰周辺の負荷を和らげることができる。
【００２８】
また、利用者５の頭部を支える床部材２にも調整機構４を設けたことにより、枕がない場合、枕の高さ位置が適さない場合又は治療などで枕が使えない場合であっても頚椎にかかる負荷を軽減でき、利用者５が快適に睡眠することができる。
【００２９】
なお、床部材２の上に屈曲自在なマットレスを設けたことにより、床部材２により間欠的な床面を曲面にすることができ、より効率的に利用者にかかる荷重を分散することができる。
【図面の簡単な説明】
【００３０】
【図１】本考案の床面高さ調整ベッドを適用した腰痛患者用ベッドの全体斜視図である。
【図２】ベッドの側面概要図である。
【図３】調整機構の構成するスライド体及びレールを示した図である。
【図４】（Ａ）は、レールの平面図であり、（Ｂ）は、レールの正面図である。
【図５】（Ａ）は、スライド体の正面図であり、（Ｂ）は、スライド体のＡ−Ａ断面図であり、（Ｃ）は、スライド体のＢ−Ｂ断面図である。
【図６】スライド体をレールに支持した状態を示した図である。
【図７】（Ａ）乃至（Ｄ）は、調整機構におけるスライド態様を示した要部Ｚ−Ｚ断面図である。
【図８】別実施例における調整機構を示した図である。
【考案を実施するための形態】
【００３１】
以下、図示する例に基づき本考案の実施形態について説明する。
図１は、本考案の床面高さ調整ベッドを適用した腰痛患者用ベッドの全体斜視図であり、図２は、ベッドの側面概要図である。図示する腰痛患者用ベッド（以下、単にベッド）は、利用者が仰臥する床面が形成される枠状のベッドフレーム１と、該ベッドフレーム１内であって利用者の身体方向に並べて複数架渡されるようにして配置される床材２（床部材）と、ベッドフレーム１の体長方向に延設されて互いが向い合うように設けられた一対のサイドプレート３と、床材２をサイドプレート３側に高さ調整自在に取付けるスライダである調整機構４とを備えている。
【００３２】
前記ベッドフレーム１は、サイドプレート３に沿って利用者５の身長方向に延設されてサイドプレート３が取付固定される一対のサイドフレーム６，６と、該サイドフレーム６の頭側端部同士を連結するヘッドフレーム７と、足側端部同士を連結するフットフレーム８とから枠体として構成されている。該枠内に床面９が形成される。
【００３３】
また、ヘッドフレーム７及びフットフレーム８の両側端には、脚部７ａ，７ａ，８ａ，８ａが突設されている。
【００３４】
前記サイドプレート３は、ベッドフレーム１により形成された枠内の内側であって、各サイドフレーム６，６に沿うようにしてベッドフレーム２の一部としてそれぞれ取付固定されており、一対のサイドプレート３，３が互いに向い合うように取付けられている。
【００３５】
前記床板２は、断面が上下方向に長い板状の桟であって一対のサイドプレート３，３の間に設けられており、該床板２を利用者５の身長方向（サイドプレート３の長手方向）に所定間隔を介して多数並べて配置している。すなわち、ベッドフレーム１内の床面９は、複数の床板２によって形成される仮想的な面を指す。また、後述する調整機構４が各床板２毎に取付けられて各床板２の高さ位置が調整可能な態様で取付けられており、該床板２の高さを調整することにより、床面９の形状を利用者５の背面形状に合わせて側面視曲線状に変更調整することができる。なお、該床面９に屈曲自在のマットレス１０を敷いた上に利用者５が仰臥する。
【００３６】
また、床板２は、図２に示されるように、サイドプレート３に粗密をつけて配置されている。詳しくは、利用者５が仰向けに寝た際、後頭部、首部、足首等の身体形状が細かく変化し且つ筋肉の乏しい箇所には、床板２同士を他の範囲よりも密に配置し、身体形状が大まかに変化する利用者５の背中から腰部にわたる範囲には、床板２同士の間隔をやや広くすることにより、適切な負荷になるように配置している。これにより、身体形状の変化の緩やかな範囲と比較して、身体形状の変化の細かい範囲に床板２を密に配置することにより、高さ調整する床板２の数を必要最低限に抑えつつ、床面９の形状を利用者５の身体形状に適した形状にすることができる。なお、床材２は、棒状の部材で構成しても良い。
【００３７】
図示する例では、該床板２は、断面が方形状の板材であって、断面の長手方向が上下方向に向けられた状態（厚み方向が利用者５の身体方向に向けられた状態）でサイドプレート３，３間に架設されている。これにより、床板２は利用者５の体重を支えても撓むことがなく、安定した床面９を形成することができる。
【００３８】
なお、前記サイドプレート３，３はサイドフレーム６，６に取付けられているが、サイドプレート３，３に変えて、枠状の前記ベッドフレーム１の内面に位置決め・載置される枠フレームを形成する構成としても良い。これにより、既存のベッドの床面を取外して上記の枠フレームを嵌込み固定することによって、既存の通常のベッドを床面高さ調整可能なベッドに変更することができる。
【００３９】
図３乃至７に基づき、床板２をサイドプレート３に高さ調整可能に取付ける調整機構４について説明する。図３は、調整機構の構成するスライド体及びレールを示した図、図４（Ａ）は、レールの平面図、図４（Ｂ）は、レールの正面図、図５（Ａ）は、スライド体の正面図であり、（Ｂ）は、スライド体のＡ−Ａ断面図であり、（Ｃ）は、スライド体のＢ−Ｂ断面図である。
【００４０】
前記調整機構４は、図３に示すように、各床板２の両端側にそれぞれ取付けられるスライド体１１と、サイドプレート３の内側面に取付固定されたレール１２（支持部材）とから構成され、該スライド体１１がレール１２に上下スライド移動自在に取付けられることにより、床材２がサイドプレート３側に支持されている（図３参照）。また、該スライド体１１をレール１２に対して上下位置の複数段階で固定することができる。
【００４１】
前記レール１２は、図４に示されるように、Ｃ形の中空状断面であり、高さ調節を行う上下方向に沿って形成されており、内部側にはスライド体１１が挿通される挿通部１３ａが設けられている。また、床面９側を向いた面は、上下方向に沿って中央が開放されたスリット状の開放部１３ｂが形成されており、該開放部１３ｂの両サイドには、スライド体１１を複数段階で固定するための一対の向い合う凹部１４，１４が上下スライド方向に複数段並べて設けられている（図４（Ｂ）参照）。また、レール１２の開放部１３ｂと向かい合う側の面には、固定孔１３ｃが複数箇所（図示する例では２箇所）穿設されており、これにより、レール１２がサイドプレート３側にネジ固定されている。
【００４２】
前記スライド体１１は、図５に示されるように、前記レール１２の挿通部１３ａ内をスライドする板部１６及び、該板部１６に一体形成されるとともにレール１２の開放部１３ｂの外側へ向けて突設される直方体状のブロック部１７から構成されるスライド部１８と、該スライド部１８側に取付けられる係止バネ１９と、ブロック部１７にスライド可能に取付けられる操作部２１と、を備えている。
【００４３】
前記係止バネ１９は、スライド体１１のスライド方向と交差（直交）する方向に延設されてレール１２の凹部１４，１４に嵌まり込む断面Ｕ字形に形成された山型の係止部１９ａと、該係止部１９ａから上下スライド方向にそれぞれ延びる一対の板バネ部１９ｂ，１９ｂとが一体成形されている。
【００４４】
前記スライド部１８は、板部１６のブロック部１７が設けられる面と逆側に、中央部分が十字型に凹設された凹設部２２が形成されている。また、板部１６のブロック部１７がある側の面には、スライド方向に向けて上下それぞれに板バネ部１９ｂ，１９ｂが嵌込む取付溝２３，２３が形成されている。このとき、凹設部２２と、取付溝２３，２３とは繋がるように形成されており（図５（Ｂ）参照）、係止バネ１９は、凹設部２２側から板バネ部１９ｂ，１９ｂを取付溝２３，２３に差込んで位置決めし、スライド部１８側に取付けることができる。
【００４５】
また、前記ブロック部１７のスライド方向と直交する側を向いた一対の面の略中央部には、上記のように係止バネ１９が取付けられた際に、係止部１９ａを収容して案内する収容溝２４が凹設されている。さらに、ブロック部１７の上面側（板部１６からブロック部１７が突設された側の面）には、スライド可能に前記操作部２１が嵌込まれる嵌合溝２６が形成されている。
【００４６】
前記操作部２１は、上記嵌合溝２６側に挿通される嵌合部３０と、スライド方向に長い方形状であって山型に形成されることにより設けた２面の操作面２８，２８とが形成されている。これにより、スライド方向に対して頂点に向う側の操作面２８をスライド方向に押すことによって、どちら側へもスライド操作できる。また、操作面２８には、滑り止めを形成しても良い。
【００４７】
また、嵌合部３０は、嵌合溝２６に挿通されて操作部２１のスライド範囲を規制する方形状の規制部として機能するとともに、嵌合溝２６の内面側にスライド方向に沿って左右幅広に設けた左右一対の係止溝２９に係止される係止爪３１，３１と、嵌合部３０から係止バネ１９側に延設されるとともにＵ字型の係止部１９を板部１６側に押出すように滑らかに湾曲したハ字状に形成される一対の操作片３２，３２とから構成されている。
【００４８】
このとき、操作部２１は、嵌合部３０を嵌合溝２６側へ押込むと、係止爪３１，３１が係止溝２９，２９に係止されて抜けなくなるとともに、この状態で係止爪３２，３２が係止バネ１９を若干押すように構成され、係止爪３１，３１が係止溝２９，２９側に付勢されることにより、操作部２１がより安定した状態でスライド部１８側に取付けられる。
【００４９】
次に、図６及び図７に基づき、調整機構４のスライド操作について説明する。図６は、スライド体をレールに支持した状態を示した図であり、図７（Ａ）乃至（Ｄ）は、調整機構におけるスライド態様を示した要部Ｚ−Ｚ断面図である。
【００５０】
図７（Ａ）に示すように、スライド体１１は、係止部１９ａが凹部１４に嵌込まれることによってレール１２に対してスライド体１１の上下位置が固定された状態となる。
【００５１】
図７（Ｂ）に示すように、スライド体１１がレールに固定された状態（図７（Ａ）の状態）から、操作部２１の操作面２８を矢印方向（レール１２の長手方向）にスライド操作すると、操作部２１の嵌合部３０及び操作片３２，３２も同様にブロック部１７内をスライド移動し、これに伴って滑らかに湾曲する操作片３２が係止部１９ａの屈曲箇所と当接して凹設部２２側に押出すように構成されている。このとき、操作部２１は、ブロック部１７に対して規制部３０が嵌合溝２６に当接する範囲内でスライド操作することができる。
【００５２】
図７（Ｃ）に示すように、操作片３２により係止部１９ａを凹部１４から凹設部２２内に押出した状態で、操作部２１をさらにスライド方向へ操作すると、嵌合部３０によりブロック部１７がスライド方向に押されてスライド部１８がスライド移動する。これにより、係止部１９ａは、板バネ部１９ｂ，１９ｂの付勢力に抗して完全に凹設部２２（挿通部１３ａ）内に押込まれ、スライド体１１がスライド可能な状態となる。このとき、係止部１９ａはＵ字状に滑らかに形成されているため、係止部１９ａがレール１２側と当接してスムーズに凹設部２２内側へ操作される。
【００５３】
また、板バネ部１９ｂの端部側が嵌め込まれる取付溝２３，２３の端部には、留め片３５，３５が設けられている。該留め片３５，３５は、上記の図７（Ｃ）のように係止バネ１９が操作されて板バネ部１９ｂ，１９ｂの端部が開放部１３ｂ側を向くように湾曲された際に、留め片３５，３５が板バネ部１９ｂ，１９ｂの端部側と当接して係止バネ１９が取付溝２３から外れることを防止している。
【００５４】
図７（Ｄ）に示すように、スライド体１１がスライド可能な状態（図７（Ｃ）の状態）で、スライド体１１が操作部２１を介してスライド操作されると、板バネ部１９ｂの付勢力により、係止部１９ａが操作前に嵌合していた凹部１４の隣の凹部１４に嵌込まれる。これにより、スライド体１１は、レール１２に対してスライド位置を多段階で調整することができる。このとき、係止部１８ａが凹部１４に嵌込まれている状態であっても、係止バネ１９ｂの付勢力により操作部２１を嵌合溝２６の外側へ向けて押しているため、操作部２１が緩くなって嵌合部３０が嵌合溝２６の範囲内で勝手に動くという事態も生じない。
【００５５】
なお、図３及び図７より、該スライド体１１は、板部１６の一端側に板状の連結板３３が固定されており、該連結板３３を介してスライド体１１が床板２の端部側にネジ固定されている。このとき、連結板３３と床板２の端部との間にはワッシャ３４，３４が設けられており、連結板３３と床板２との間には若干のスペースが形成されている（特に図３参照）。
【００５６】
すなわち、板部１６及び連結板３３は、レール１２の挿通部１３ａ内をスライドし、連結板３３と床板２とは、ワッシャ３４，３４を介して連結されることにより、該ワッシャ３４がレール１２の開放部１３ｂを通過することを許容するように構成されている。これにより、レール１２の挿通部１３ａ内の板部１６側から開放部１３ｂを介して床板２を取付固定することができる。
【００５７】
なお、図１に示されるように、床面９が下方側に屈曲される利用者５の背中や臀部を支持する床板２を調整自在に支持する調整機構４は、スライド体１１が床板２の上側（レール１２の上半部側）に配置されるようにレール１２側に取付けられおり、床面９が上方側に屈曲される利用者５の首周りや腰部等を支持する床板２を支持する調整機構４は、スライド体１１が床板３の下側（レール１２の下半部側）に配置されるようにレール１２側に取付けられている。
【００５８】
上述の構成により、スライド体１１は、操作体２１の操作面２８を介してスライド操作した場合には、係止部１９ａが凹部１４から外れて容易に上下スライド操作することができる。その一方で、操作体２１を介さなかった場合、すなわち、スライド体１１を所定の高さに位置調整して床板２を適切な高さに調節した状態で、床面９に利用者５が仰臥し、床板２を介してスライド体１１に体重による負荷が掛かった場合には、係止部１９ａが一対の凹部１４，１４に嵌合した状態で上下スライドしないように形成されている。このため、ベッド使用時は床板２を十分な支持力で支持する一方で、床面９の形状を調整する際の操作部２１を介した床板２の高さ調整は小さい力で容易に行うことができる。
【００５９】
また、利用者５に負担のかかり易い腰や臀部周辺においては、その他の箇所よりも床板２を密に配置したり、腰や臀部周辺を担う床板２には、別途クッション１５を巻き付けたり（図１参照）することにより、利用者５へ荷重のかかり易い腰や臀部周辺箇所においてより効率的に荷重を分散し、利用者５への負担を軽減する構成としても良い。
【００６０】
さらに、スライド体１１をレール１２から取外すことができるように構成されており、任意の床板２のみを外したり再び取付けたりすることも容易に行うことができる。これにより、利用者５の身体背面側に火傷等があり、床面９との接触が苦痛となる場合には、患部と接触する部分の床板２のみを取外すことにより、患部と床面９との接触を避けて利用者５への負担を軽減させることができる。
【００６１】
なお、床板２は、各床板２の両端部毎に設けた調整機構４により昇降高さを調整することによって、床面９の形状を利用者５の身体形状に合わせて側面視凹凸（曲面）状に形成されるため、昇降シリンダ等の高価な部品が必要なく、低コストで作成することができる。
【００６２】
次に、図８に基づき、本考案の別実施例について、上述の点と異なる点を説明する。図８は、別実施例における調整機構４を示した図である。図示する例より、床板２を高さ調整自在にサイドプレート３，３側に支持する調整機構４は、サイドプレート３，３側に複数設けた上下方向に穿設されるスライド溝３６と、該スライド溝３６に挿通されるとともに床板２の端部にそれぞれ設けられる円筒状の挿通軸３７（支持具）と、該挿通軸３７をネジ固定する締付部３８（固定具）と、から構成されている。
【００６３】
前記締付部３８には挿通軸３７が挿通される挿通孔３９が設けられており、挿通軸３７及び挿通孔３９に切られたネジにより、互いが締付固定されて連結される。
【００６４】
上記構成により、床板２は両端部に設けた挿通軸３７，３７がサイドプレート３，３に設けたスライド溝３６に挿通されて上下スライド自在に支持される。この状態において、サイドプレート３，３の外側からワッシャ４１を介して挿通軸３７を締付部３８によりネジ固定することにより、床板２をサイドプレート３，３側に固定支持することができる。このとき、床板２を固定する前に、床板２は、挿通軸３７がスライド溝３６をスライドする範囲で自由に上下動させて、任意の高さで床板２を固定することができるため、床板２の高さ位置を無段階調整することができる。
【符号の説明】
【００６５】
１  ベッドフレーム
２  床板（床部材）
３  サイドプレート
４  調整機構
５  利用者
９  床面
１０  マットレス
１１  スライド体
１２  レール（支持部材）
１４  凹部（係止機構）
１５  クッション
３６  スライド溝
３７  挿通軸（支持具）
３８  締付部（固定具）
【図１】
0003172888.tif 000003
【図２】
0003172888.tif 000004
【図３】
0003172888.tif 000005
【図４】
0003172888.tif 000006
【図５】
0003172888.tif 000007
【図６】
0003172888.tif 000008
【図７】
0003172888.tif 000009
【図８】
0003172888.tif 000010